(57)【要約】【課題】取り出し口部を簡易な構成としながらも、広面となる部分に電子レンジ加熱食品容器を乗せ、喫食に際しスプーンなどを取り扱うときに電子レンジ加熱食品容器を押し下げるような力が加わっても、その包装箱が潰れないようにして、トレイとして利用したときに潰れることなく電子レンジ加熱食品容器を安定的に支持する。【解決手段】開口予定部１２で箱本体内側に落とし込む閉鎖板１５によって、落とし込み開口に嵌め入れた電子レンジ加熱諸君容器Ｂに接しながら箱本体の横時上面胴部板材５と横時下面胴部板材６との間隔を維持させるようにする。【選択図】    図１
2004224402.tif 000002
【特許請求の範囲】
【請求項１】
四面の板材からなる胴部の前記板材の下端に連接されたフラップから底面閉鎖部が設けられ、該底面閉鎖部に対向する上面側に取り出し口部が位置し、該取り出し口部から出し入れ可能にして箱本体に電子レンジ加熱食品容器が収納される包装箱であって、
上記底面閉鎖部が側方となるように箱本体を横にしたときに上面とする横時上面胴部板材と下面とする横時下面胴部板材との内、前記横時上面胴部板材は、上記電子レンジ加熱食品容器を箱本体の外方から嵌め入れしてこの電子レンジ加熱食品容器を保持する落とし込み開口となる開口予定部を有し、
前記開口予定部は、該開口予定部を有する横時上面胴部板材の少なくとも取り出し口部側に位置する落とし込み用折り罫と、前記落とし込み用折り罫に連続する切断線と、前記落とし込み用折り罫と切断線とに囲まれた閉鎖板とからなり、前記落とし込み用折り罫からの折りと前記切断線の切断とにより前記閉鎖板を箱本体内に落とし込み、開放形成された落とし込み開口に電子レンジ加熱食品容器を嵌め入れたときに、前記電子レンジ加熱食品容器に接して落とし込まれている閉鎖板が、上記横時下面胴部板材に当たって横時上面胴部板材と横時下面胴部板材との間隔を維持する構成を有していることを特徴とする電子レンジ加熱食品容器用包装箱。
【請求項２】
上記閉鎖板は、取り出し口部側に位置している落とし込み用折り罫から折って箱本体内に落とし込みできる半板と底部閉鎖部側に位置している落とし込み用折り罫から折って箱本体内に落とし込みできる半板とが分離可能に連接されているものである請求項１に記載の電子レンジ加熱食品容器用包装箱。
【請求項３】
上記閉鎖板は、取り出し口部側の落とし込み用折り罫から折って箱本体内に落とし込みしたときに横時下面胴部板材に面接合する当て板を折り罫を介して備えている請求項１または２に記載の電子レンジ加熱食品容器用包装袋。
【請求項４】
上記横時上面胴部板材は、上記取り出し口部の高さ位置より上方に延設されて取り出し口部の高さ位置から取り出し口部側に折り倒しできる延長板を一体に備え、該延長板に上記開口予定部における落とし込み用折り罫が位置し、取り出し口部側に折り倒した延長板の落とし込み用折り罫から閉鎖板を折って箱本体内に落とし込むときに、延長板の取り出し口部の高さ位置の部分に曲げ補強部が形成される構成とした請求項１から３の何れか一項に記載の電子レンジ加熱食品容器用包装箱。
【発明の詳細な説明】
【０００１】
【発明の属する技術分野】
本発明は、電子レンジで加熱調理する食品とこの食品を収容したまま電子レンジに入れて電子レンジによる食品の加熱調理が行なえるようにした容器とからなる製品を包装する包装箱に関するものである。
【０００２】
【従来の技術】
電子レンジで加熱調理して食することのできる食品として、従来から購買者側の手間を軽減するために、その食品を収容していた容器を利用してそのまま電子レンジに入れて加熱調理できるようにした商品が多く流通している。
そして、容器ごと電子レンジに入れて加熱調理する商品において、容器内に収容した食品へのマイクロ波の照射効率を高めるために、電子レンジの庫内底面から容器位置が高くなるように別の外ケースを組み合わせる商品形態がある（例えば、特許文献１参照）。
また、前記食品を収容している容器は一般的に耐熱性の容器であるが、電子レンジに入れて加熱調理したときには加熱された食品からの熱が伝わるなどして熱くなっていて、加熱調理後に電子レンジから容器を取り出す際には注意を要するものとなっている。そのため、容器を収容する紙製の包装箱を利用する工夫が提案されており、商品購入者が箱本体を開封して容器を取り出し、その箱本体に形成された開口部分に前記容器を入れて、箱本体をトレイとして利用して、この箱本体に容器をセットした状態で電子レンジに入れるようにしたものがある（例えば、特許文献２参照）。
【０００３】
【特許文献１】
実公平５−７７５５号公報（図２）
【特許文献２】
特開平８−７２８６２号公報（段落番号００２９、００３０、図５）
【０００４】
【発明が解決しようとする課題】
ところで、電子レンジを利用して加熱調理する食品を収容した電子レンジ加熱食品容器からなる商品にあっては、容器形状がフランジを有するボール状であったり、フランジを有する深皿状であり、よって上記特許文献、そして図１２に示されているように、包装箱ａはその箱高さが小さく平面方向に広がりのあるブロック形状となっている。また購入者が電子レンジ加熱食品容器ｂを箱本体から抜き出し易くするためや、簡易な包装形態とするために、包装箱における取り出し口部ｃは単に開口したままの形態としたものが多くなってきているのが現状である。
このように包装箱の構成が簡単であり、取り出し口部自体も単なる開口としたことで、購入者が購入して電子レンジ加熱食品容器を取り出すまでの取り扱いは容易になっているが、包装箱の箱高さが小さく平面方向で広がりのある商品をこのまま陳列したのでは購買者の目に付き難く、広面の意匠部分が目に付き易いように斜めにして陳列するなどの手間を掛けている。
【０００５】
そのため、包装箱の構成を簡単なものとしながらも、箱高さの大きい包装箱に電子レンジ加熱食品容器を立てた状態で入れて、商品陳列時に商品が自立して購買者の目に付き易くしたいとの要望がある。
しかしながら、電子レンジ加熱食品容器の取り出し口部を単なる開口とするなどの簡易な構成としていることから、購入者が購入後に商品を取り扱う上で以下のような不都合がある。
上記平置きタイプの商品や縦置きタイプの商品のいずれにおいても、包装箱をトレイとして利用する際、包装箱の広面である部分に容器受け用の開口ｄを設け、その開口ｄに電子レンジ加熱食品容器ｂを配して、電子レンジにより加熱調理を行なうことになるが、図示されているように上記従来の包装箱ａでは電子レンジ加熱食品容器ｂを単に浮かせた状態で支持しているだけであるため、さらには、取り出し口部ｃが単なる開口であるため、電子レンジ加熱食品容器ｂを乗せたまま包装箱ａが潰れ易く、また、包装箱ａをトレイとして利用したまま調理済みの食品を食するときにスプーンなどで食品を押し下げるなどの下方向きの力を加えると、包装箱ａが潰れるようになる（図１３）。
このように簡易な構成の包装箱をトレイとして利用すると、電子レンジ加熱食品容器を安定させて喫食することができないという問題がある。
そこで、本発明は上記事情に鑑み、取り出し口部を簡易な構成としながらも、広面となる部分に電子レンジ加熱食品容器を乗せ、喫食に際しスプーンなどを取り扱うときに電子レンジ加熱食品容器を押し下げるような力が加わっても、その包装箱が潰れないようにすることを課題とし、トレイとして利用したときに潰れることなく電子レンジ加熱食品容器を安定的に支持できるようにすることを目的とするものである。
【０００６】
【課題を解決するための手段】
そこで本発明は上記課題を考慮してなされたもので、四面の板材からなる胴部の前記板材の下端に連接されたフラップから底面閉鎖部が設けられ、該底面閉鎖部に対向する上面側に取り出し口部が位置し、該取り出し口部から出し入れ可能にして箱本体に電子レンジ加熱食品容器が収納される包装箱であって、上記底面閉鎖部が側方となるように箱本体を横にしたときに上面とする横時上面胴部板材と下面とする横時下面胴部板材との内、前記横時上面胴部板材は、上記電子レンジ加熱食品容器を箱本体の外方から嵌め入れしてこの電子レンジ加熱食品容器を保持する落とし込み開口となる開口予定部を有し、前記開口予定部は、該開口予定部を有する横時上面胴部板材の少なくとも取り出し口部側に位置する落とし込み用折り罫と、前記落とし込み用折り罫に連続する切断線と、前記落とし込み用折り罫と切断線とに囲まれた閉鎖板とからなり、前記落とし込み用折り罫からの折りと前記切断線の切断とにより前記閉鎖板を箱本体内に落とし込み、開放形成された落とし込み開口に電子レンジ加熱食品容器を嵌め入れたときに、前記電子レンジ加熱食品容器に接して落とし込まれている閉鎖板が、上記横時下面胴部板材に当たって横時上面胴部板材と横時下面胴部板材との間隔を維持する構成を有していることを特徴とする電子レンジ加熱食品容器用包装箱を提供して、上記課題を解消するものである。
【０００７】
本発明において上記閉鎖板は、取り出し口部側に位置している落とし込み用折り罫から折って箱本体内に落とし込みできる半板と底部閉鎖部側に位置している落とし込み用折り罫から折って箱本体内に落とし込みできる半板とが分離可能に連接されているものとすることが可能である。
また、上記閉鎖板は、取り出し口部側の落とし込み用折り罫から折って箱本体内に落とし込みしたときに横時下面胴部板材に面接合する当て板を折り罫を介して備えているものとすることが可能である。
さらに、上記横時上面胴部板材は、上記取り出し口部の高さ位置より上方に延設されて取り出し口部の高さ位置から取り出し口部側に折り倒しできる延長板を一体に備え、該延長板に上記開口予定部における落とし込み用折り罫が位置し、取り出し口部側に折り倒した延長板の落とし込み用折り罫から閉鎖板を折って箱本体内に落とし込むときに、延長板の取り出し口部の高さ位置の部分に曲げ補強部が形成される構成とすることが可能である。
【０００８】
【発明の実施の形態】
つぎに本発明を図１から図１１に示す実施の形態に基づいて詳細に説明する。図中１は電子レンジ加熱食品容器用包装箱で、該包装箱１は四方に位置する四面の板材からなり横断面が略長方形の収納空間Ａを形成する胴部２と、前記胴部２における前記四面の板材それぞれに連接されたフラップから閉じられた底面閉鎖部３と、前記底面閉鎖部３に対応する上面側で開放されている取り出し口４とを備え、箱高さの寸法を大きくして自立する形態としたものである。
そして、包装箱１の収納空間Ａとなる箱本体内には、電子レンジ加熱食品容器Ｂとレトルト包装体Ｃとを組み合わせて収容されるものであり（図３参照）、電子レンジ加熱食品容器Ｂの上面を開封可能に閉じる蓋材側にレトルト包装体Ｃを合わせながら、容器Ｂの底が側方を向くように立てた状態にしてこの容器Ｂと包装体Ｃとが箱本体１の内部に収め入れられ、購入者が開放された取り出し口部４から容器Ｂと包装体Ｃとを簡単に取り出せるようにしている。
【０００９】
前記電子レンジ加熱食品容器Ｂは、深皿状にして蓋材によりヒートシールされて電子レンジにより加熱調理することで食することのできるご飯などの食品を収容している。また、レトルト包装体Ｃは、前記食品と合わせて電子レンジにより加熱調理し混ぜ合わせて食する具材などの食品を収容していて、重ね合わせ包装シート内に食品を収容して辺部をヒートシールした略偏平な形態に設けられているものである。この容器Ｂと包装体Ｃとに収容される食品は本発明において特に限定されない。
【００１０】
この電子レンジ加熱食品容器用包装箱１は、箱本体に上記電子レンジ加熱食品容器Ｂとレトルト包装体Ｃとを収めた形態の商品を購入した購買者が前記容器Ｂと包装体Ｃとを取り出し口部４から取り出したのち、容器Ｂと包装体Ｃとを開封して容器Ｂに包装体Ｃの食品を入れ、底面閉鎖部３を側方とし一つの広面の胴部板材側を上面となるように寝かせた包装箱１を前記容器Ｂのトレイとして利用して、電子レンジに容器とともに入れることができるようにしたものであり、以下のように所要の胴部板材を上面とするべく予め設定されている。
図２は電子レンジ加熱食品容器用包装箱１を展開したブランクを示している。胴部２を構成する四面の板材の内、対向する広面の一方が横時上面胴部板材５となり、他方が横時下面胴部板材６としていて、横時上面胴部板材５は箱本体を横にしたときに上面とする胴部板材であり、また横時下面胴部板材６は箱本体を横にしたときに下面とする胴部板材であり、対向する横時上面胴部板材５と横時下面胴部板材６とのそれぞれの側端間に、箱本体を横にしたときに立ち状態となる胴部板材７が位置するように、横時上面胴部板材５と胴部板材７と横時下面胴部板材６と胴部板材７とが順に連接され、これら四面の胴部板材で胴部２を構成している。横時上面胴部板材５には胴部板材７と対向する位置に糊代８が連接されている。
なお、電子レンジ加熱食品容器用包装箱１の縦置き状態において、後述する容器支持の仕組みなどの存在により横時上面胴部板材５が背面であって各種の取り扱い説明などの情報が表示され、また横時下面胴部板材６が正面であって食品の盛り付けイメージなどが表示されている。胴部板材７にも各種の情報や折り付けイメージなどが表示される。
【００１１】
上記横時上面胴部板材５と横時下面胴部板材６とはそれぞれ取り出し口部４の高さ位置から上方に延設された延長板１０が一体となっており、延長板１０を含めた縦寸法において横時下面胴部板材６が横時上面胴部板材５より大きく設定されている。そして、横時上面胴部板材５に一体となっている延長板１０は取り出し口部４の高さ位置に折り罫１１が設けられ、この折り罫１１で折って取り出し口部４側に曲げ倒すことが可能となっている。
【００１２】
上記四面の胴部板材５、６、７の下端には上述したようにフラップ９が連接されていて、これらフラップ９の組み合わせにて底面閉鎖部３を形成するものであり、図示の例では従来から公知のオートロックタイプの底面閉鎖部３が得られるようにしている。なお、底面閉鎖部３はこのオートロックタイプに限定されるものでなく、一般的なフラップの重ね合わせや貼り合せから形成されるものであってもよい。
【００１３】
横時上面胴部板材５は開口予定部１２を有している。この開口予定部１２は、箱本体から取り出した電子レンジ加熱食品容器Ｂを外方から嵌め入れして、この電子レンジ加熱食品容器を保持する落とし込み開口となる部分であり、図２に示されているように、横時上面胴部板材５に連接している延長板１０にある落とし込み用折り罫１３と、この落とし込み用折り罫１３の端部それぞれに連続する切断線１４と、前記落とし込み用折り罫１３と切断線１４とに囲まれた閉鎖板１５とからなるものである。
延長板１０から横時上面胴部板材５に亘る上記切断線１４は、複数の切り目を並べたもので、この切断線１４の位置で切断するとともに落とし込み用折り罫１３の位置で折って閉鎖板１５を箱本体内側に落とし込むことにより、落とし込み開口１６が得られるようにしている。
落とし込み開口１６の形状は落とし込み用折り罫１３の位置を除いて、上記電子レンジ加熱食品容器Ｂにおける容器本体の外周面形状に対応したものであって、図示の例では略円状になるように設けられており、閉鎖板１５を落し込んで得られた落とし込み開口１６に前記容器Ｂを嵌め入れれば、その容器Ｂのフランジ部分が落とし込み開口１６の周辺に乗って、容器本体の底が横時下面胴部板材６から離れた状態となる。これは収納空間Ａに容器Ｂと包装体Ｃとを重ね合わせた状態で収納できるように横時上面胴部板材５と横時下面胴部板材６との間隔が設定されていて、そして、容器Ｂと包装体Ｃとを取り出した後に落とし込み開口１６に外方から容器Ｂを乗せ置いていることから、この容器Ｂの底下に空間が形成されることになる。このように容器Ｂを浮かせた状態であることから、電子レンジでの加熱に際してマイクロ波が食品に効率よく照射されるようになる。
【００１４】
上記開口予定部１２において落とし込み用折り罫１３と対向する位置には、切断線１４に連続するカットを入れて指先の押し込みを局部的に容易にした指掛け予定部１７が設けられており、この部位に指先を押し込むことで、閉鎖板１５を落とし込むための初期の切断が切断線１４に容易に生じるようにしている。なお、前記指掛け予定部１７でのカットとカットとの間の寸法は、指先の押し込みの際に破片が閉鎖板１５などから分離しないように調整することが、その破片からなる小さなゴミを生じさせない上で好ましい。
【００１５】
上記閉鎖板１５の中央には上記落とし込み用折り罫１３と平行にした折り罫１８が設けられて、折り罫１８から上記指掛け予定部１７側の領域を当て板１９とし、閉鎖板１５を落とし込んだときに前記折り罫１８から閉鎖板１５が折曲され、当て板１９が横時下面胴部板材６に対して面接合状態となるようにしている（図５参照）。
【００１６】
以上のように構成された電子レンジ加熱食品用包装箱１をトレイとして利用する場合には、上述したように指掛け予定部１７に指先を入れて、一旦、閉鎖板１５を引き上げるようにして切断線１４を切ってから、上記落とし込み用折り罫１３で折って閉鎖板１５を箱本体内に落とし込むようにする。また、横時上面胴部板材５を取り出し口部４の位置の折り罫１１から延長板１０を取り出し口部４側に曲げるようにする。
そして、このようにして開放形成された落とし込み開口１６に電子レンジ加熱食品容器Ｂを嵌め入れた場合、本実施の形態にあっては、容器Ｂに閉鎖板１５が接した状態で倒し込まれているとともに、この閉鎖板１５が折り罫１１の位置で折曲した状態で横時下面胴部板材６に当接するように設けられ、折り罫１１からの当て板１９は横時下面胴部板材６に面として接するようにしている。
このように落とし込まれた閉鎖板１５は容器Ｂに接した状態で横時下面胴部板材６に当接しているため、仮に、加熱調理した食品を混ぜるなどの操作をしているときに容器Ｂを下方に押すような力が加わったとしても、その容器Ｂに接している閉鎖板１５が横時下面胴部板材６に当接しているため、容器Ｂを支えている横時上面胴部板材５と横時下面胴部板材６との間隔が維持され、取り出し口部４側での潰れが防止される。さらに、偏平状態の胴部をスリーブ状に起こして底面閉鎖部が自動的に組み起こされるタイプの箱本体では、この箱本体を横置きにして上方から押すような力が加わったときに底面閉鎖部の組み起こしが解ける方向に胴部が扁平化し勝ちになるが、本実施の形態にあっては、落とし込まれた閉鎖板１５が横時下面胴部板材６に当接して底面閉鎖部３に相対する状態となって、仮に横時上面胴部板材５を押し下げるような力が加わったとしても、底面閉鎖部３が解ける方向への胴部２の偏平化を確実に防止する。
【００１７】
また、横時上面胴部板材５に連接する延長板１０が折り曲げられていることから、折り罫１１の位置では折曲形状の曲げ補強部２０が形成されて横時上面胴部板材５の剛性が高められ、取り出し口部４側での容器Ｂの支持を確実に行なえるようにしている。
このように、箱本体が潰れることなく容器Ｂを確実に支持するため、容器Ｂが安定して加熱された食品を混ぜるなどの操作も簡単に行なえるものとなる。なお、閉鎖板１５における落とし込み用折り罫１３の近くに折り罫１１が存在しているが、延長板１０の倒し込みの前に閉鎖板１５を落とし込めば、この閉鎖板１５の折り罫１１の位置で容器Ｂの接触による折れが生じることはなく、また、事前に延長板１０が取り出し口部４側に折り倒されている場合にあっても、閉鎖板１５を落とし込んだ後の折り罫１１の折癖は容器Ｂ側に凸となっているものであり、変形を生じることなく適正に横時上面胴部板材５と横時下面胴部板材６との間隔を維持できる。
図において２１は横時上面胴部板材５と横時下面胴部板材６とのそれぞれの下端側に切り込み形成された脚を示している。
【００１８】
上記実施の形態は開口予定部１２に一枚の閉鎖板１５が位置する構成としているが、本発明はこれに限定されるものではない。図６から図８に示す例では、閉鎖板１５は一対の半板１５ａ、１５ｂとから構成されていて、半板１５ａは、延長板１０に位置している落とし込み用折り罫１３から折って箱本体内に落とし込みできて、横時下面胴部板材６に当接する板材であり、半板１５ｂは、横時上面胴部板材５と底部閉鎖部３との間に位置している落とし込み用折り罫２２から折って箱本体内に落とし込みできて、横時下面胴部板材６に当接する板材であり、落とし込まれた閉鎖板１５の両半板１５ａ、１５ｂが、上記実施の例と同じように電子レンジ加熱食品容器Ｂに接した状態で横時下面胴部板材６に当接し、それぞれが、横時上面胴部板材５と横時下面胴部板材６との間隔を維持して、箱本体が潰れることなく容器Ｂを安定的に支持するようにしているものである。
【００１９】
この例において、両半板１５ａ，１５ｂは落とし込み前にミシン目からなる分割線２３を介して分離可能に連接され、その分割線２３の中央位置においてそれぞれの半板１５ａ，１５ｂに指掛け予定部１７を設けて、半板１５ａ，１５ｂの分離と落とし込み操作が容易になるように設けられている。
【００２０】
上記各実施の例では、開口予定部１２が箱本体の横時上面胴部板材５とこれに連接している延長板１０とに渡って設けられている構成であるが、本発明はこれに限定されるものではない。例えば、図９と図１０に示すように横時上面胴部板材５の領域のみに開口予定部１２を設けるようにしてもよく、図示された例の構成においても落とし込まれた閉鎖部材１５が容器Ｂに接した状態で横時下面胴部板材６に当接するように設けられており、落とし込んだ閉鎖部材１５にて横時上面胴部板材５と横時下面胴部板材６との間隔を維持して容器Ｂを安定的に支持する。
【００２１】
また図９から図１１は、横時上面胴部板材５と横時下面胴部板材６とのそれぞれに連接される延長板１０の変形例を示していて、横時上面胴部板材５に連接する延長板１０を箱高さ方向での寸法を大として、これを箱上方に向けて凸となる断面弧状にして横時下面胴部板材６側に曲げ降ろし、この延長板１０に切り込み形成された係止スリット２４に、横時下面胴部板材６の上端に係止板として形成された箱高さ方向に短寸の延長板１０を係脱可能に形成さえて、取り出し口部４が覆われるようにした形態のものである。このように延長板１０の形状変更は可能である。なお、電子レンジ加熱食品容器Ｂを乗せ置くトレイとして使用するときにも延長板１０で取り出し口部４を覆うようにすることが良好である。
なお、このように延長板１０の形状により包装箱の意匠性を高めるような場合、開口予定部１２を横時上面胴部板材５の領域内に設定することが好ましい。
【００２２】
【発明の効果】
以上説明した本発明によれば、開口予定部で箱本体内側に落とし込む閉鎖板によって、落とし込み開口に嵌め入れた電子レンジ加熱諸君容器に接しながら箱本体の横時上面胴部板材と横時下面胴部板材との間隔が維持されて箱本体の剛性が高まり、取り出し口部が開放された状態のままでもトレイとして電子レンジ加熱食品容器を適性に支持し、加熱調理された食品をスプーンなどでかき混ぜるなどの操作が簡単に行なえるようになる。そして、商品陳列時にあっては、底面閉鎖部を下にして縦置きとした状態で陳列配置でき、箱本体の広面の板材部分を起立状態にして購買者の目に付き易い商品形態にすることができるなど、実用性に優れた効果を奏するものである。
【図面の簡単な説明】
【図１】本発明に係る電子レンジ加熱食品容器用包装箱の一例を示す説明図である。
【図２】一例を展開した状態で示す説明図である。
【図３】電子レンジ加熱食品容器とレトルト包装体を箱本体内に収容した状態を示す説明図である。
【図４】落とし込み開口を示す説明図である。
【図５】電子レンジ加熱食品容器を落とし込み開口に配した状態を示す説明図である。
【図６】半板一対からなる閉鎖板を示す説明図である。
【図７】半板一対からなる閉鎖板を落とし込んだ状態を示す説明図である。
【図８】閉鎖板を半板一対とした例において電子レンジ加熱食品容器を配した状態を示す説明図である。
【図９】他の実施の例を示す説明図である。
【図１０】同じく他の実施の例を示す説明図である。
【図１１】他の実施の例において電子レンジ加熱食品容器を配した状態を示す説明図である。
【図１２】従来例を示す説明図である。
【図１３】従来例において箱本体の潰れを示す説明図である。
【符号の説明】
１…電子レンジ加熱食品容器用包装箱
２…胴部
４…取り出し口部
５…横時上面胴部板材
６…横時下面胴部板材
１０…延長板
１１…折り罫
１２…開口予定部
１３…落とし込み用折り罫
１４…切断線
１５…閉鎖板
１６…落とし込み開口
１７…指掛け予定部
２０…曲げ補強部
Ａ…収納空間
Ｂ…電子レンジ加熱食品容器
Ｃ…レトルト包装体
【図１】
2004224402.tif 000003
【図２】
2004224402.tif 000004
【図３】
2004224402.tif 000005
【図４】
2004224402.tif 000006
【図５】
2004224402.tif 000007
【図６】
2004224402.tif 000008
【図７】
2004224402.tif 000009
【図８】
2004224402.tif 000010
【図９】
2004224402.tif 000011
【図１０】
2004224402.tif 000012
【図１１】
2004224402.tif 000013
【図１２】
2004224402.tif 000014
【図１３】
2004224402.tif 000015